(57)【要約】  移動通信端末機において、発信番号に先立ってインフォモバイルサービス、国際電話サービス、ゾーン料金制サービスなどを含むサービスのためのコードを追加するための装置及び方法を提供する。コード追加モードは、発信番号が入力されるときに提供される。このコード追加モードが選択されると、発信番号に先立ってコードの追加を遂行する。コードを選択する段階以前に、記憶された発信番号を選択する場合にコード追加モードを選択する段階をさらに有することを特徴とする。
2008527840.tif 000002
【特許請求の範囲】
【請求項１】
移動通信端末機における発信(calling)番号に先立ってコードを追加するための方法であって、
表示された発信番号に先立ってコードリストから追加するコードを選択する段階と、
前記表示された発信番号に先立って前記選択されたコードを追加する段階と、
を有することを特徴とする方法。
【請求項２】
前記コードを選択する段階以前に、前記記憶された発信番号を選択する場合にコード追加モードを選択する段階をさらに有することを特徴とする請求項１記載の方法。
【請求項３】
前記コードは、インフォモバイル(Info-Mobile)サービスのためのサービスコード、国際電話サービスのための国家コード、市外電話サービスのための地域コード、ローミング(roaming)サービスコード、及びモバイルクーポンコードのうちいずれか一つであることを特徴とする請求項１記載の方法。
【請求項４】
前記コードが追加された発信番号を用いて通話を遂行する段階をさらに有することを特徴とする請求項１記載の方法。
【請求項５】
前記表示された発信番号は、記憶された電話帳(phonebook)又は送受信通話リストから選択されることを特徴とする請求項１記載の方法。
【請求項６】
前記コードを追加する段階後、前記追加されたコードが削除可能であることを特徴とする請求項１記載の方法。
【請求項７】
前記コード追加モードでコード追加メニューを表示する段階と、
前記コード追加メニューからコード追加記憶メニューが選択された場合に、コード入力ウィンドウを表示する段階と、
前記コードリストにコードを追加する段階と、
からなる前記コードリストを更新する段階をさらに有することを特徴とする請求項２記載の方法。
【請求項８】
移動通信端末機における発信番号に先立ってコードを追加するための方法であって、
表示された発信番号に先立って追加するコードを入力する段階と、
前記表示された発信番号に先立って前記入力コードを追加する段階と、
を有することを特徴とする方法。
【請求項９】
前記コードを入力する段階以前に、前記記憶された発信番号を選択する場合にコード追加モードを選択する段階をさらに有することを特徴とする請求項８記載の方法。
【請求項１０】
前記コードは、インフォモバイルサービスのためのサービスコード、国際電話サービスのための国家コード、市外電話サービスのための地域コード、ローミングサービスコード、及びモバイルクーポンコードのうちいずれか一つであることを特徴とする請求項８記載の方法。
【請求項１１】
前記コードが追加された発信番号を用いて通話を遂行する段階をさらに有することを特徴とする請求項８記載の方法。
【請求項１２】
前記表示された発信番号は、記憶された電話帳、送受信通話リストから選択されることを特徴とする請求項８記載の方法。
【請求項１３】
前記追加されたコードは、コードを追加する段階後に削除可能であることを特徴とする請求項８記載の方法。
【請求項１４】
移動通信端末機における発信番号に先立ってコードを追加するための方法であって、
コードリストからコードを選択する段階と、
発信番号を表示する段階と、
前記表示された発信番号に先立って前記選択されたコードを追加する段階と、
を有することを特徴とする方法。
【請求項１５】
前記コードは、インフォモバイルサービスのためのサービスコード、国際電話サービスのための国家コード、市外電話サービスのための地域コード、ローミングサービスコード、及びモバイルクーポンコードのうちいずれか一つであることを特徴とする請求項１４記載の方法。
【請求項１６】
前記コードが追加された発信番号を用いて通話を遂行する段階をさらに有することを特徴とする請求項１４記載の方法。
【請求項１７】
前記表示された発信番号は、記憶された電話帳、送受信リストから選択されることを特徴とする請求項１４記載の方法。
【請求項１８】
前記追加されたコードは、前記コードを追加する段階後に削除可能であることを特徴とする請求項１４記載の方法。
【請求項１９】
移動通信端末装置は、
コードリストを記憶するメモリと、
ユーザーの入力により前記表示された発信番号に先立って追加するコードを前記コードリストから選択し、前記表示された発信番号に先立って前記選択されたコードを追加するように制御する制御部と、
を含むことを特徴とする装置。
【請求項２０】
前記コードは、インフォモバイルサービスのためのサービスコード、国際電話サービスのための国家コード、市外電話サービスのための地域コード、ローミングサービスコード、及びモバイルクーポンコードのうちいずれか一つであることを特徴とする請求項１９記載の装置。
【請求項２１】
前記制御部は、前記コードが追加された発信番号を用いて通話を遂行するように制御することを特徴とする請求項１９記載の装置。
【請求項２２】
前記表示された発信番号は、記憶された電話帳、送受信通話リストから選択されることを特徴とする請求項１９記載の装置。
【請求項２３】
前記追加されたコードは前記制御部の制御によって前記発信番号に追加された後に削除可能であることを特徴とする請求項１９記載の装置。
【請求項２４】
移動通信端末装置は、
電話帳、少なくとも一つの発信番号を含む送受信通話リスト、及び少なくとも一つのコードを含むコードリストを記憶するメモリと、
ユーザーの入力により前記メモリに記憶された発信番号を表示し、前記コードリストからコードを選択し、前記表示された発信番号に先立って前記コードを追加するように制御する制御部と、
を含むことを特徴とする装置。
【請求項２５】
移動通信端末装置は、
電話帳と少なくとも一つの発信番号を含む送受信通話リストを記憶するメモリと、
ユーザーの入力により前記メモリに記憶された発信番号を表示し、前記表示された発信番号に先立って前記入力コードを追加するように制御する制御部と、
を含む特徴とする装置。
【請求項２６】
前記コードは、インフォモバイルサービスのためのサービスコード、国際電話サービスのための国家コード、市外電話サービスのための地域コード、ローミングサービスコード、及びモバイルクーポンコードのうちいずれか一つであることを特徴とする請求項２５記載の装置。
【請求項２７】
前記制御部は、前記コードが追加された発信番号を用いて通話を遂行することを特徴とする請求項２５記載の装置。
【請求項２８】
前記追加されたコードは、前記制御部の制御によって前記発信番号に追加された後に削除可能であることを特徴とする請求項２５記載の装置。
【請求項２９】
移動通信端末装置は、
コードと発信番号を入力するための入力手段と、
ユーザーの入力により前記入力された発信番号に先立って前記入力されたコードを追加するように制御する制御部と、
を含むことを特徴とする装置。
【請求項３０】
前記制御部は、前記コードが追加された発信番号を用いて通話を遂行することを特徴とする請求項２９記載の装置。
【請求項３１】
移動通信端末機において発信番号に先立ってコードを追加するためのプログラムが記録可能なコンピュータ読出し記録媒体であって、
表示された発信番号に先立って追加するコードをコードリストから選択或いは入力するための第１のコードセグメントと、
前記入力又は選択されたコードを前記表示された発信番号に先立って追加するための第２のコードセグメントと、
を含むことを特徴とするコンピュータ読出し記録媒体。
【発明の詳細な説明】
【技術分野】
【０００１】
本発明は移動通信端末機で発信(calling)のための装置及び方法に関するもので、特に移動通信端末機で発信する間に発信番号に付加的な番号又は文字を追加するための装置及び方法に関するものである。その追加的な番号又は文字は、地域コード、地域サービスコード、国際電話コード、インフォモバイル(info-mobile)サービスコード、ローミングサービスコード、及びモバイルクーポンサービスコードなどを含む。
【背景技術】
【０００２】
移動通信端末機は、携帯の便利性のため、その使用が急激に広がっている。したがって、サービス提供者(端末機製造業者)は、多くのユーザーを確保するためにより特別な機能を有する端末機を開発している。
【０００３】
例えば、移動通信端末機は、電話帳(phone  book)、短文メッセージ(short  message)、インターネット(internet)、Ｅメール(e-mail)、モーニングコール(morning  call)、ＭＰ３(MPEG  Layer3)プレーヤー、デジタルカメラのような多様な付加機能を提供する。
【０００４】
電話帳サービスを使用する場合に、ユーザーは、電話帳リストで電話番号を選択する。ここで、ユーザーが選択した電話番号に国際電話や市外電話(長距離電話)のような特定のサービスを選択するための番号、文字又はコード(以下、“コード”と称する)の追加を希望しても、電話番号に先立って国家コード又は地域コードのようなコードを追加することは難しい。
【０００５】
移動通信端末機は、上述した付加機能以外に発信者情報表示サービスのような多様な付加サービスが普遍化されている。
【０００６】
発信者情報表示サービスは、受信される呼に含まれた発信者情報を確認して受信者が電話を受ける前に発信者の情報を予め表示するサービスである。移動通信端末機は、電話番号リストに関連した発信者情報表示サービスを用いることによってリターンコールが可能になった。この場合に、ユーザーは国際電話や市外電話のような特定のサービスを選択するためのコードを追加しようとしても、国家コード又は地域コードのようなコードを電話番号に追加するのが困難だった。
【０００７】
また、事務所、ホテル、又は企業のような特定地域で一つのモバイル電話端末機を用いて有無線電話を通じて音声及びデータ通信を提供するインフォモバイルサービスと呼ばれている複合モバイルサービスが、広く利用されている。このインフォモバイルサービスを使用するために、インフォモバイルサービスを指定するための文字キーや数字キー(例えば、＃９)は、電話番号に先立って入力する。また、ユーザーが上記のインフォモバイルサービスを選択するためのコードの追加を希望しても、電話番号の先にコードを追加することは難しい。
【０００８】
また、位置基盤サービス(Location  Base  Service）の一種であるゾーン料金制(zone  rate)サービスを使用する場合に、サービスコードを追加しなければならない。
【０００９】
したがって、移動通信端末機で電話帳又は発信表示サービスによる電話番号を用いて電話をかけ、或いはターンコールを遂行する場合に、それに記憶された電話番号に先立って国際電話サービス、市外電話サービス、インフォモバイルサービス、又はゾーン料金制を指定するためのコードを追加するための装置及び方法が必要となる。
【発明の開示】
【発明が解決しようとする課題】
【００１０】
したがって、本発明の目的は、移動通信端末機で発信するときに電話帳に記憶された発信番号に先立って特定サービスを指定するためのコードを追加するための方法を提供することにある。
【００１１】
本発明の他の目的は、移動通信端末機でリターンコールを用いて通話するときに、発信リストにリターン発信番号に先立って特定サービスを指定するコードを追加するための方法を提供することにある。
【００１２】
さらに、本発明の目的は、移動通信端末機で発信するときに電話帳に記憶された発信番号に先立って特定サービスを指定するコードを追加するための装置を提供することにある。
【００１３】
本発明の他の目的は、移動通信端末機でリターンコールを用いて通話するときに、発信リストにリターン発信番号に先立って特定サービスを指定するコードを追加するための装置を提供することにある。
【課題を解決するための手段】
【００１４】
上記の目的を達成するために、本発明は、移動通信端末機における発信(calling)番号に先立ってコードを追加するための方法であって、表示された発信番号に先立ってコードリストから追加するコードを選択する段階と、前記表示された発信番号に先立って前記選択されたコードを追加する段階とを有することを特徴とする。
【００１５】
また、本発明は、移動通信端末機における発信番号に先立ってコードを追加するための方法であって、表示された発信番号に先立って追加するコードを入力する段階と、前記表示された発信番号に先立って前記入力コードを追加する段階とを有することを特徴とする。
【００１６】
さらに、本発明は、移動通信端末装置は、コードリストを記憶するメモリと、ユーザーの入力により前記表示された発信番号に先立って追加するコードを前記コードリストから選択し、前記表示された発信番号に先立って前記選択されたコードを追加するように制御する制御部とを含むことを特徴とする。
【００１７】
本発明は、移動通信端末装置は、電話帳、少なくとも一つの発信番号を含む送受信通話リスト、及び少なくとも一つのコードを含むコードリストを記憶するメモリと、ユーザーの入力により前記メモリに記憶された発信番号を表示し、前記コードリストからコードを選択し、前記表示された発信番号に先立って前記コードを追加するように制御する制御部とを含むことを特徴とする。
【発明を実施するための最良の形態】
【００１８】
以下、本発明の望ましい実施形態を添付の図面を参照して詳細に説明する。
【００１９】
下記に、本発明に関連した公知の機能或いは構成に関する具体的な説明が本発明の要旨を不明にすると判断された場合に、その詳細な説明を省略する。
【００２０】
以下に、本発明は、移動通信端末機で発信番号に先立ってサービスのためのコードを追加する技術について説明する。このサービスは、インフォモバイル(info-mobile)サービス、国際電話サービス、又は市外(長距離)通話サービス、ローミング(roaming)サービス、モバイルクーポンサービスなどを含む。
【００２１】
図１は、本発明による移動通信端末機のブロック構成図である。移動通信端末機は、例えば携帯電話(cellular  phone)、個人携帯通信システム(Personal  Communication  System：ＰＣＳ)、ＰＤＡ(Personal  Data  Assistant)、ＩＭＴ２０００(International  Mobile  Telecommunication-2000)端末機を含む。
【００２２】
図１を参照すると、ＭＰＵ(Micro-Processor  Unit)１００は、移動通信端末機の全般的な動作を制御するための制御器である。例えば、ＭＰＵ１００は、音声通信及びデータ通信のための処理及び制御を遂行する。代表的な機能に加えて、ＭＰＵ１００は、発信又はリターンコールを遂行する場合に、特定サービスのためのコードを追加する機能を処理する。したがって、以下の説明において、通常のＭＰＵ１００の処理及び制御動作に関する説明は省略する。ここで、追加されるコードは、地域コード、ゾーンサービスコード、国際電話コード、インフォモバイルサービスコード、ローミングサービスコード、及びモバイルクーポンコードなどを含む。このコードは、移動通信端末機に記憶され、或いはユーザーによって直接入力されることができる。発信番号は、移動通信端末機で電話帳(phonebook)、送受信通話リストに記憶され、或いはユーザーによって直接入力されることができる。
【００２３】
ＲＯＭ(Read  Only  Memory)１０２は、ＭＰＵ１００の処理及び制御のためのソフトウェアのマイクロコードと各種参照データを記憶する。ＲＡＭ(Random  Access  Memory)１０４は、ＭＰＵのワーキングメモリ(working  memory）として、各種プログラムを遂行する際に発生する一時的なデータを記憶する。フラッシュＲＯＭ(flash  ROM)１０６は、電話帳、発信メッセージ及び受信メッセージのような更新可能な多様な保管用データを記憶する。さらに、このフラッシュＲＯＭ１０６は、サービスのための少なくとも一つのコードを含むコードリスト、少なくとも一つの発信番号を含む送信通話リスト、及び少なくとも一つの受信通話番号を含む受信通話リストを記憶する。ＲＯＭ１０２、ＲＡＭ１０４、及びフラッシュＲＯＭ１０６は、統合して一つのメモリで構成可能である。
【００２４】
キーパッド(key  pad)１０８のような入力手段は、数字キーを含む。ユーザーによって押されたキーに対応するキー入力データは、ＭＰＵ１００に送信される。
【００２５】
入力手段としてタッチパッドやタッチスクリーン(図示せず)が使用可能である。このとき、タッチパッドやタッチスクリーンのタッチ要素は、キーパッドのキーに対応する。
【００２６】
ディスプレイ部(display  unit)１１０は、状態情報、制限された文字の数、動映像及び静止画像などを表示する。ディスプレイ部１１０は、カラーＬＣＤ(Liquid  Crystal  Display)を使用することが可能である。
【００２７】
ＭＰＵ１００に接続されたコーデック(Coder-Decoder：ＣＯＤＥＣ)１１２と、コーデック１１２に接続されたスピーカー１１６及びマイク１１４は、音声通信に使用するための音声入出力ブロックである。
【００２８】
ＲＦ(Radio  Frequency)モジュール１２０は、アンテナ１１８を通じて受信されたＲＦ信号の周波数を下降させ、基底帯域処理部１２２にＲＦ信号を提供する。また、ＲＦモジュール１２０は、基底帯域処理部１２２から提供された基底帯域信号の周波数を増加させてアンテナ１１８を通じて伝送する。この基底帯域処理部１２２は、ＲＦモジュール１２０とＭＰＵ１００との間に送受信される基底帯域信号を処理する。
【００２９】
図２は、本発明の実施形態により、コードリストにコードを追加するための手順を示すフローチャートである。
【００３０】
上述したように、追加コードは、地域コード、ゾーンサービスコード、国際電話コード、インフォモバイルサービスコード、ローミングサービスコード、及びモバイルクーポンサービスコードを含み、これに限定されることではない。
【００３１】
図２を参照すると、ＭＰＵ１００は、ステップ２０１で、ユーザーのキー操作によってコード追加モードが選択されたか否かを確認する。その結果、コード追加モードが選択されない場合に、ＭＰＵ１００は、段階２２７に進行して該当モード(例えば、待機モード)を遂行する。
【００３２】
もし、コード追加モードが選択されると、ＭＰＵ１００は、ステップ２０３で、図４(Ａ)に示すように、コード追加メニュー(例えば、“１.コード追加”、“２.コード編集”、“３．コード削除”、“４．コードリスト”)をディスプレイ部１１０に表示する。
【００３３】
次に、ＭＰＵ１００は、ステップ２０５に進行し、ユーザーのキー操作によってコード追加メニューが選択されたか否かを確認する。例えば、ＭＰＵ１００は、図４(Ａ)で“１．コード追加”が選択されたか否かを確認する。
【００３４】
その結果、“１．コード追加”メニューが選択されると、ＭＰＵ１００は、ステップ２０７で、図４(Ｂ)に示すようにコード入力ウィンドウを表示する。このコード入力ウィンドウが表示された場合に、ＭＰＵ１００は、ステップ２０９に進行してユーザーのキー操作によって入力されるコードをメモリに記憶する。以後、ＭＰＵ１００は本アルゴリズムを終了する。
【００３５】
一方、ステップ２０５で、コード追加メニューが選択されない場合に、ＭＰＵ１００は、ステップ２１１に進行してユーザーのキー操作によってコード編集メニュー、例えば図４(Ａ)に示すように、“２.コード編集”が選択されたか否かを確認する。
【００３６】
その結果、コード編集メニューが選択された場合に、ＭＰＵ１００は、ステップ２１３で、図４(Ｃ)に示すようにコードリストを表示する。ＭＰＵ１００は、ステップ２１５で、編集するコードがコードリストから選択されたかを確認する。その後、ＭＰＵ１００は、ステップ２１７に進行し、図４(Ｄ)に示すように選択されたコードを編集及び記憶してから、上記のアルゴリズムを終了する。
【００３７】
一方、ステップ２１１で、コード編集メニューが選択されない場合に、ＭＰＵ１００は、ステップ２１９に進行し、コード削除メニュー、例えば図４(Ａ)に示すように“３.コード削除”が選択されたか否かを確認する。その結果、コード削除メニューが選択されないと、ＭＰＵ１００はステップ２０５に戻る。
【００３８】
もし、コード削除メニューが選択された場合に、ＭＰＵ１００は、ステップ２２１に進行して図４(Ｃ)に示すようにメモリに記憶されたコードリストを表示する。以後、ＭＰＵ１００は、ステップ２２３に進行し、ユーザーのキー操作によって削除するコードが表示されたコードリストから選択されたかを確認する。ＭＰＵ１００は、ステップ２２５に進行して選択されたコードを削除し、本アルゴリズムを終了する。
【００３９】
図３は、本発明の実施形態により、リターン通話番号に先立ってコードを追加するための手順を示すフローチャートである。
【００４０】
図３を参照すると、ＭＰＵ１００は、ステップ３０１で、ユーザーのキー操作によって発信モードが選択されたか否かを確認する。その結果、発信モードが選択されない場合に、ＭＰＵ１００は、ステップ３２５に進行して該当モード(例えば、待機モード)を遂行する。
【００４１】
ステップ３０１で発信モードが選択された場合に、ＭＰＵ１００は、ステップ３０３に進行して図５に示すように通話リストを表示する。例えば、ユーザーのキー操作によって通話接続キーが押された場合に、最近の通話リストは、図５(Ｂ)に示すように表示される。このとき、少なくとも一つの発信番号を記憶している電話帳が使用可能である。その後、ＭＰＵ１００は、ステップ３０５で、ユーザーのキー操作によって通話接続を遂行する発信番号を選択する。
【００４２】
この発信番号が選択された後に、ＭＰＵ１００は、ステップ３０７に進行し、ユーザーのキー操作によってコード追加メニューが選択されたか否かを確認する。このコード追加メニューが選択なれない場合に、ＭＰＵ１００は、ステップ３２３に進行して選択された発信番号で接続を遂行する。以後、ＭＰＵ１００は、本アルゴリズムを終了する。
【００４３】
一方、コード追加メニューが選択された場合に、ＭＰＵ１００は、ステップ３０９に進行して図６(Ａ)に示すようにコード追加メニューを表示し、コードリスト使用メニューが選択されたか否かを確認する。
【００４４】
コードリスト使用メニューが選択された場合、すなわち、図６(Ａ)に示すようにコード追加メニューが表示されると、ＭＰＵ１００は、ステップ３１１に進行して図６(Ｂ)に示すようにメモリに記憶されたコードリストを表示する。
【００４５】
その後、ステップ３１３で表示されたコードリストから追加するコードが選択された場合に、ＭＰＵ１００は、ステップ３２１に進行し、ステップ３０５で選択された発信番号に先立ってステップ３１３で選択されたコードを追加する。
【００４６】
一方、ステップ３０９でコードリスト使用メニューが選択されない場合、ＭＰＵ１００は、ステップ３１５に進行して直接入力メニューが選択されたか否かを確認する。直接入力メニューが選択されないと、ＭＰＵ１００はステップ３０９に戻る。
【００４７】
直接入力メニューが選択された場合に、ＭＰＵ１００は、ステップ３１７で、図６(Ｃ)に示すようにコード入力ウィンドウを表示する。その後、ステップ３１９でユーザーのキー操作によって追加するコードが入力された場合に、ＭＰＵ１００は、ステップ３２１に進行してステップ３０５で選択された発信番号に入力コードを追加する。次に、ＭＰＵ１００は、ステップ３２３に進行してコードが追加された発信番号で通話接続を遂行し、本ルゴリズムを終了する。
【００４８】
すなわち、移動通信端末機でリターンコールを遂行する場合に、ユーザーによって入力或いは選択されたコードは、リターンコール番号に先立って追加される。また、移動通信端末機で通話リストから発信番号に先立ってサービスのためのコードを追加することが可能である。
【００４９】
図４は、本発明の実施形態により、コードリストにコードを追加するための手順の画面を示す。このとき、図４(Ａ)〜図４(Ｅ)は図２に関連して説明した。
【００５０】
図５は、本発明の実施形態により受信通話リストのための画面を示す。この通話リストは、ディスプレイ部に表示される。図５(Ａ)及び図５(Ｂ）は、図３に関連して説明した。
【００５１】
図６は、本発明の実施形態により、発信番号に先立ってゾーンサービスコードを追加するための手順の画面を示す。このとき、図６(Ａ)、(Ｂ)、(Ｃ）は、図３に関連して説明した。
【００５２】
図７は、本発明の実施形態により、発信番号に先立ってコードを追加する他の手順を示すフローチャートである。
【００５３】
図７を参照すると、ＭＰＵ１００は、ステップ７０１で、ユーザーのキー操作によって発信モードが選択されたか否かを確認する。その結果、発信モードが選択されない場合に、ＭＰＵ１００は、ステップ７２３に進行して該当モード(例えば、待機モード)を遂行する。
【００５４】
発信モードが選択された場合に、ＭＰＵ１００は、ステップ７０３でユーザーのキー操作によって発信番号が入力されることを確認する。
【００５５】
発信番号が入力されると、ＭＰＵ１００は、ステップ７０５で、ユーザーのキー操作によってコード追加メニューが選択されたか否かを確認する。その結果、コード追加メニューが選択されないと、ＭＰＵ１００は、ステップ７２１に進行して選択された発信番号で通話接続を遂行する。以後、ＭＰＵ１００は本アルゴリズムを終了する。
【００５６】
コード追加メニューが選択された場合に、ＭＰＵ１００は、ステップ７０７に進行して図６(Ａ)に示すようにコード追加メニューを表示した後に、コードリスト使用メニューが選択されたか否かを確認する。
【００５７】
一方、コードリスト使用メニューが選択された場合に、ＭＰＵ１００は、ステップ７０９に進行して図６(Ｂ)に示すようにメモリに記憶されたコードリストを表示する。
【００５８】
その後、ステップ７１１で表示されたコードリストから追加するコードが選択された場合に、ＭＰＵ１００は、ステップ７１９に進行し、ステップ７０３で入力された発信番号に先立って選択されたコードを追加する。
【００５９】
一方、ステップ７０７でコードリスト使用メニューが選択されない場合、ＭＰＵ１００は、ステップ７１３に進行して直接入力メニューが選択されたか否かを確認する。直接入力メニューが選択されないと、ＭＰＵ１００はステップ７０７に戻る。
【００６０】
直接入力メニューが選択された場合に、ＭＰＵ１００は、ステップ７１５に進行し、図６(Ｃ)に示すようにコード入力ウィンドウを表示する。その後、ステップ７１７でユーザーのキー操作によって追加するコードが入力された場合に、ＭＰＵ１００は、ステップ７１９に進行してステップ７０３で入力された発信番号に入力コードを追加する。次に、ＭＰＵ１００は、ステップ７２１に進行してコードが追加された発信番号で通話接続を遂行し、本ルゴリズムを終了する。
【００６１】
すなわち、移動通信端末機でリターンコールを遂行する場合に、ユーザーによって入力或いは選択されたコードは、リターンコール番号に先立って追加される。また、移動通信端末機で通話リストから発信番号に先立ってサービスのためのコードを追加することが可能である。
【００６２】
本発明の実施形態は、コンピュータ読出し媒体上のコンピュータ読出しコードを含むことができる。コンピュータ読出し媒体は、コンピュータシステムによって読出し可能なデータを格納するいかなるデータ記憶手段を含むことができる。コンピュータ読出し媒体の例としては、磁気記録メディア(ＲＯＭ、フロッピー（登録商標）ディスク、ハードディスクなど)、光学記録メディア(ＣＤ-ＲＯＭ又はＤＶＤなど)、及び搬送波(インターネットを通じた伝送)のような記憶メカニズムなどがある。また、コンピュータ読出し媒体は、コンピュータシステムに接続されているネットワークを通じて配布され、配布方式を通じて記録されて実行可能になる。また、本発明の例示的実施形態を遂行する機能プログラム、コード及びコードセグメントは、本発明が属する技術分野で通常の知識を持つ者なら容易に理解できることであろう。
【００６３】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００６４】
【図１】本発明による移動通信端末機のブロック構成図である。
【図２】本発明の実施形態により、コードリストにコードを追加するための手順を示すフローチャートである。
【図３】本発明の実施形態により、発信番号に先立って特定コードを追加するための手順を示すフローチャートである。
【図４】本発明の実施形態により、コードリストにコードを追加するための手順の画面を示す図である。
【図５】本発明の実施形態により、受信通話リストのための画面を示す図である。
【図６】本発明の実施形態により、発信番号に先立ってゾーンサービスコードを追加するための手順の画面を示す図である。
【図７】本発明の実施形態により、発信番号に先立ってコードを追加するための他の手順を示すフローチャートである。
【符号の説明】
【００６５】
１００  ＭＰＵ
１１０  ディスプレイ部
１１２  コーデック
１２０  ＲＦモジュール
１２２  基底帯域処理部
【図１】
2008527840.tif 000003
【図２】
2008527840.tif 000004
【図３】
2008527840.tif 000005
【図４】
2008527840.tif 000006
【図５】
2008527840.tif 000007
【図６】
2008527840.tif 000008
【図７】
2008527840.tif 000009
【国際調査報告】
2008527840.tif 000010
2008527840.tif 000011